(57)【特許請求の範囲】
【請求項１】
映像ファイルを記録メディアに記録する第１ステップと、
記録される前記映像ファイルにおいて著しく映像が変化するシーン変化点を検出する第２ステップと、
該第２ステップで検出した前記シーン変化点と前回検出した前記シーン変化点との間のデータで構成されるブロック内の映像の再生される時間となる映像変化の少ないシーン無変化時間を測定する第３ステップと、
前記ブロックそれぞれの先頭から所定時間の映像を抽出して連続的に並べることによって作成されるダイジェスト映像ファイルの一部として前記ブロック毎に抽出した前記所定時間の映像の数が所定数を満たしているか否かを確認する第４ステップと、
前記第４ステップにおいて前記ダイジェスト映像ファイルの一部として前記ブロック毎に抽出した前記所定時間の映像の数が前記所定数を満たしていないことを確認したとき、前記第２ステップにおいて前記シーン変化点を検出して得られた前記ブロックより前記所定時間の映像を抽出して前記ダイジェスト映像ファイルの一部とする第５ステップと、
前記第４ステップにおいて前記ダイジェスト映像ファイルの一部として前記ブロック毎に抽出した前記所定時間の映像の数が前記所定数を満たしていることを確認したとき、既に抽出した前記所定時間の映像に対する前記ブロックそれぞれの前記シーン無変化時間のうち最短となる最短シーン無変化時間よりも前記第３ステップにおいて測定された前記シーン無変化時間が長いか否かを確認する第６ステップと、
該第６ステップにおいて、前記最短シーン無変化時間よりも前記第３ステップにおいて測定された前記シーン無変化時間が長いことを確認したとき、前記最短シーン無変化時間となる前記ブロックの前記所定時間の映像に代わって、前記第２ステップにおいて前記シーン変化点を検出して得られた前記ブロックの前記所定時間の映像を抽出して前記ダイジェスト映像ファイルの一部とする第７ステップと、
抽出された前記所定時間の映像が時系列順に並べられることによって前記ダイジェスト映像ファイルが作成される第８ステップと、
を備えることを特徴とするダイジェスト映像ファイル作成方法。
【請求項２】
前記第５ステップおいて、前記第３ステップにおいて測定された前記シーン無変化時間が前記所定時間より長いとき、前記所定時間の映像を抽出して前記ダイジェスト映像ファイルの一部とすることを特徴とする請求項１に記載のダイジェスト映像ファイル作成方法。
【請求項３】
映像ファイルを記録メディアに記録する第１ステップと、
記録される前記映像ファイルにおいて著しく映像が変化するシーン変化点を検出する第２ステップと、
該第２ステップで検出した前記シーン変化点と前回検出した前記シーン変化点との間のデータで構成されるブロック内の映像の再生される時間となる映像変化の少ないシーン無変化時間を測定する第３ステップと、
前記第２ステップにおける前記シーン変化点の検出によって得られた前記ブロックが前記第１ステップで記録された前記記録メディアにおける記録位置を示す記録位置情報を獲得する第４ステップと、
前記ブロックそれぞれの先頭から所定時間の映像を抽出して連続的に並べることによって作成されるダイジェスト映像ファイルの一部として前記所定時間の映像を抽出するために、前記第４ステップにおいて獲得された前記記録位置情報を保持する第５ステップと、
既に保持された前記記録位置情報の数が所定数を満たしているか否かを確認する第６ステップと、
前記第６ステップにおいて既に保持された前記記録位置情報の数が前記所定数を満たしていないことを確認したとき、前記第５ステップにおける前記記録位置情報の保持を実行させる第７ステップと、
前記第６ステップにおいて既に保持された前記記録位置情報の数が前記所定数を満たしていることを確認したとき、既に保持した前記記録位置情報に対する前記ブロックそれぞれの前記シーン無変化時間のうち最短となる最短シーン無変化時間よりも前記第３ステップにおいて測定された前記シーン無変化時間が長いか否かを確認する第８ステップと、
該第８ステップにおいて前記最短シーン無変化時間よりも前記第３ステップにおいて測定された前記シーン無変化時間が長いことを確認したとき、前記第５ステップにおける前記記録位置情報の保持を実行させる第９ステップと、
最終的に保持された前記所定数の記録位置情報で指定される前記記録メディア内の前記ブロックより前記所定時間の映像を抽出して時系列順に連続的に並べることにより前記ダイジェスト映像ファイルを作成する第１０ステップと、
を備えることを特徴とするダイジェスト映像ファイル作成方法。
【請求項４】
前記第１ステップにおける前記映像ファイルの記録終了時に、前記第１０ステップが実行されるとともに、前記第１０ステップで作成された前記ダイジェスト映像ファイルが記録されることを特徴とする請求項３に記載のダイジェスト映像ファイル再生方法。
【請求項５】
前記ダイジェスト映像ファイルの再生が指示された時に、前記第１０ステップが実行されるとともに、前記第１０ステップで作成された前記ダイジェスト映像ファイルが再生されることを特徴とする請求項３に記載のダイジェスト映像ファイル作成方法。
【請求項６】
前記第７ステップおいて、前記第３ステップにおいて測定された前記シーン無変化時間が前記所定時間より長いとき、前記第５ステップにおける前記記録位置情報の保持を実行させることを特徴とする請求項３〜請求項５のいずれかに記載のダイジェスト映像ファイル作成方法。
【請求項７】
前記ダイジェスト映像ファイルを構成する映像が、記録される映像ファイルの映像を縮小した映像であることを特徴とする請求項１〜請求項６のいずれかに記載のダイジェスト映像ファイル作成方法。
【請求項８】
入力された映像信号より映像ファイルを記録する記録メディアと、該記録メディアに記録された映像ファイルの映像信号を復号化するデコーダと、を有する映像記録再生装置において、
入力された前記映像信号より、記録される前記映像ファイルにおいて著しく映像が変化するシーン変化点を検出する変化点検出部と、
該変化点検出部で検出された前記シーン変化点によって前記映像ファイルを複数のブロックに分割して、該ブロック内の映像の再生される時間となる映像変化の少ないシーン無変化時間が長いブロックから順に所定数のブロックを選出するブロック選出部と、
前記ブロック選出部で選出した前記所定数のブロックそれぞれの先頭から所定時間の映像を抽出するダイジェスト映像抽出部と、
前記ダイジェスト映像抽出部で抽出された前記所定時間の映像を一時的に保持する映像記録部と、
前記映像記録部で一時的に保持された複数の前記所定時間の映像を時系列順に並べることによってダイジェスト映像ファイルを作成するダイジェスト作成部と、
を有し、
前記変化点検出部で前記シーン変化点を検出したとき、
既に前記ブロック選出部で選出されたブロックの数が前記所定数を満たしていない場合は、前記ブロック選出部で前記シーン変化点を検出して得られたブロックを選出して、前記ダイジェスト映像抽出部が該ブロックより抽出した前記所定時間の映像を前記ダイジェスト映像ファイルの一部として前記映像記録部に保持し、
又、既に前記ブロック選出部で選出されたブロックの数が前記所定数を満たしている場合は、前記ブロック選出部で既に選出した前記所定数のブロックそれぞれのシーン無変化時間のうち最短となる最短シーン無変化時間よりも前記シーン変化点を検出して得られたブロックのシーン無変化時間が長いと、前記ブロック選出部が前記最短シーン無変化時間となるブロックに代わって前記シーン変化点を検出して得られたブロックを選出し、前記ダイジェスト映像抽出部が該ブロックより抽出した前記所定時間の映像を前記ダイジェスト映像ファイルの一部として前記映像記録部に保持するとともに前記最短シーン無変化時間となるブロックより抽出した前記所定時間の映像を前記映像記録部から削除し、
ダイジェスト作成部において、最終的に前記映像記録部に保持された複数の前記所定時間の映像を連続的に並べることによってダイジェスト映像ファイルを作成して、前記記録メディアに記録することを特徴とする映像記録再生装置。
【請求項９】
既に前記ブロック選出部で選出されたブロックの数が前記所定数を満たしていない場合に、前記シーン無変化時間が前記所定時間より長いとき、前記ダイジェスト映像抽出部が該ブロックより抽出した前記所定時間の映像を前記ダイジェスト映像ファイルの一部として前記映像記録部に保持することを特徴とする請求項８に記載のダイジェスト映像ファイル作成装置。
【請求項１０】
入力された映像信号より映像ファイルを記録する記録メディアと、該記録メディアに記録された映像ファイルの映像信号を復号化するデコーダと、を有する映像記録再生装置において、
入力された前記映像信号より、記録される前記映像ファイルにおいて著しく映像が変化するシーン変化点を検出する変化点検出部と、
該変化点検出部で検出された前記シーン変化点によって前記映像ファイルを複数のブロックに分割して、該ブロック内の映像の再生される時間となる映像変化の少ないシーン無変化時間が長いブロックから順に所定数のブロックを選出するブロック選出部と、
前記ブロック選出部で選出されたブロックの前記記録メディアに記録された記録位置を示す記録位置情報を一時的に保持する位置情報記録部と、
前記位置情報記録部に保持された複数の前記記録位置情報によって前記記録メディアより検索される複数のブロックそれぞれから前記所定時間の映像を前記ダイジェスト映像抽出部によって抽出して時系列順に並べることによってダイジェスト映像ファイルを作成するダイジェスト作成部と、
を有するとともに、
前記変化点検出部で前記シーン変化点を検出したとき、
既に前記ブロック選出部で選出されたブロックの数が前記所定数を満たしていない場合は、前記ブロック選出部で前記シーン変化点を検出して得られたブロックを選出して、選出した該ブロックの記録位置情報を前記位置情報記録部に保持し、
又、既に前記ブロック選出部で選出されたブロックの数が前記所定数を満たしている場合は、前記ブロック選出部で既に選出した前記所定数のブロックそれぞれのシーン無変化時間のうち最短となる最短シーン無変化時間よりも前記シーン変化点を検出して得られたブロックのシーン無変化時間が長いと、前記ブロック選出部が前記最短シーン無変化時間となるブロックに代わって前記シーン変化点を検出して得られたブロックを選出し、選出した該ブロックの前記記録位置情報を前記位置情報記録部に保持するとともに前記最短シーン無変化時間となるブロックの前記記録位置情報を前記位置情報記録部から削除し、
前記ダイジェスト作成部において、最終的に前記位置情報記録部に保持された複数の前記記録位置情報によって前記記録メディアより検索される複数のブロックそれぞれから前記所定時間の映像を前記ダイジェスト映像抽出部によって抽出して連続的に並べることによってダイジェスト映像ファイルを作成することを特徴とする映像記録再生装置。
【請求項１１】
前記映像ファイルの記録時に、前記ダイジェスト映像ファイルが作成されるとともに、前記記録メディアに記録されることを特徴とする請求項１０に記載の映像記録再生装置。
【請求項１２】
前記ダイジェスト映像ファイルの再生が指示された時に、前記ダイジェスト映像ファイルが作成されるとともに、作成された前記ダイジェスト映像ファイルが再生されることを特徴とする請求項１０に記載の映像記録再生装置。
【請求項１３】
既に前記ブロック選出部で選出されたブロックの数が前記所定数を満たしていない場合に、前記シーン無変化時間が前記所定時間より長いとき、前記ブロック選出部で前記シーン変化点を検出して得られたブロックを選出して、選出した該ブロックの記録位置情報を前記位置情報記録部に保持することを特徴とする請求項１０〜請求項１２のいずれかに記載のダイジェスト映像ファイル作成装置。
【請求項１４】
前記ダイジェスト映像抽出部において、抽出した映像を縮小することを特徴とする請求項８〜請求項１３のいずれかに記載の映像記録再生装置。
【発明の詳細な説明】
【０００１】
【発明の属する技術分野】
本発明は、記録媒体に記録された映像ファイルを検索するために映像ファイルの内容を要約化して作成されるダイジェスト映像ファイル作成方法、及び、このダイジェスト映像ファイル作成方法を利用してダイジェスト映像ファイルを作成するとともに映像ファイルの記録再生を行う映像記録再生装置に関する。
【０００２】
【従来の技術】
従来より、テレビ映像などの映像を記録再生するためにＶＴＲ（Video Tape Recorder）が利用されてきたが、近年、映像のデジタル化が進み、ＤＶＤ（Digital Versatile Disk）やＨＤＤ（Hard Disk Drive）などのデジタル記録メディアがＶＴＲに代わり普及されつつある。このデジタル記録メディアによると、ユーザーの所望する映像を再生するためにＶＴＲでは早送り又は巻き戻しを行う時間が必要となるのに対して、ランダムアクセスが可能であるために、所望の映像が記録された領域に瞬時にデータ読み取り用のヘッダを移動して読み取ることができる。
【０００３】
しかしながら、このようなデジタル記録メディアは、その容量の大容量化が図られており、容量が大きくなるほど記録可能な映像ファイル数が増加するので、ユーザーがその内容を把握することが困難になる。よって、記録メディア内に記録された内容を容易に把握させるために、録画した日時やチャンネルをインデックス情報として記録する方式がある。又、このようなインデックス情報に、そのタイトルや内容を加えて記録する方式もある。
【０００４】
このようなインデックス情報の記録は、ＶＴＲに対しても行われていたが、録画日時とチャンネルだけでは、ユーザーが記録内容を思い出すのが困難であり、又、タイトルや内容を加える場合においても、その入力をユーザーが行う必要があるため、その手続が煩雑である。これに対して、デジタル記録メディアにおいては、記録した映像の一部となる１フレームの画像を縮小した画像（以下、「サムネイル画像」と呼ぶ）を自動的に作成してインデックス情報に付加する方式が実用化されている。
【０００５】
このようなサムネイル画像をインデックス情報に付加した方式を利用した映像記録再生装置の記録動作を図７を参照して簡単に説明する。放送信号がチューナー１に入力されると、操作部４が操作されて指示されたユーザー所望のチャンネルの放送信号が選局された後、所望の番組の映像信号が記録メディア３に映像ファイルとして記録される。この記録された映像ファイルは、記録メディア３から読み出されて映像デコーダ２で復号化される。
【０００６】
このとき、操作部４が操作されて録画の指示が与えられたことをタイマー５に示すと、タイマー５より録画日時情報が出力され、チューナー１より出力される選局したチャンネルを表すチャンネル情報とともに、インデックス情報として記録メディア３に記録される。又、静止画像生成部５０において、映像デコーダ２で復号化された映像信号よりサムネイル画像を生成するフレームの映像信号を抽出し、当該フレームの映像信号より静止画像が生成される。この得られた静止画像に対して、縮小処理部５１で縮小処理を施し、サムネイル画像が生成されると、記録メディア３に記録される。
【０００７】
このようにして、記録された各映像ファイルに対して、検索用のインデックス情報がサムネイル画像とともに記録メディア３に記録されているとき、記録メディア３に記録された映像ファイルを検索するための画面表示が図８のようにして行われる。即ち、記録された映像ファイル毎に、インデックス情報が読み出されてフォントＲＯＭ５２与えられると、テキストデータ又はバイナリデータとして記録されているインデックス情報を文字画像に変換して画像合成部５３に与える。又、同様に、記録された映像ファイル毎に、サムネイル画像が記録メディア３より読み出されて画像合成部５３に送出される。そして、この映像ファイル毎のインデックス情報による文字画像とサムネイル画像が合成されて、映像ファイル検索用の画像とされて画像表示部５４に表示される。
【０００８】
よって、サムネイル画像が付加されたインデックス情報は、例えば、図９のように番組Ａ〜Ｃを録画したとき、各番組Ａ〜Ｃの最初のフレームの画像ａ〜ｃをそれぞれ縮小して生成されたサムネイル画像Ｓａ〜Ｓｃが録画日時及びチャンネルなどのインデックス情報に付加されて、番組Ａ〜Ｃの映像ファイルとともに記録される。そして、このインデックス情報が読み出されて、番組Ａ〜Ｃの映像ファイルより所望の映像ファイルの検索を行うための画面が図１０のように表示される。このように検索画面が表示されるとき、例えば、サムネイル画像Ｓａを含むインデックス情報が指示されると、番組Ａの映像ファイルが記録メディア３より読み出されて再生表示される。
【０００９】
このように、番組最初のフレーム等の所定位置のフレームをサムネイル画像としてインデックス情報に付加することによって、ユーザーは、インデックス情報より、その番組内容を確認することができる。しかし、サムネイル画像として格納したとき、その番組内容を把握するのには不十分であるものもある。それに対して、連続的な複数のフレームをサムネイル画像として記録し、検索画面を表示する際に、この複数のフレームによるサムネイル画像をダイジェスト映像として動画表示する方法が提案され、その番組内容の把握を容易なものとしている。
【００１０】
このようなサムネイル画像によるダイジェスト映像ファイルの作成方法として、従来は、以下の二つの方法が用いられていた。一つの方法は、所定時間毎に所定間隔の映像を抜き出して、抜き出した映像の各シーンを構成するフレームを縮小してダイジェスト映像を作成する方法である。即ち、記録した映像ファイルを所定時間Ｔ毎のシーンの映像に分割し、分割された各映像から所定間隔となる時間ｔのシーンの映像を抜き出してダイジェスト映像を作成する。
【００１１】
よって、図１１のように、所定時間Ｔによって２分割された映像ファイルＡは、時間ｔのシーンの映像ｓａ１，ｓａ２が抜き出されて、ダイジェスト映像ファイルＤａが作成される。又、所定時間Ｔによって３分割された映像ファイルＢは、時間ｔのシーンの映像ｓｂ１〜ｓｂ３が抜き出されて、ダイジェスト映像ファイルＤｂが作成される。又、所定時間Ｔによって４分割された映像ファイルＣは、時間ｔのシーンの映像ｓｃ１〜ｓｃ４が抜き出されて、ダイジェスト映像ファイルＤｃが作成される。このように、その時間の長さが映像ファイルの時間の長さに比例したダイジェスト映像ファイルが作成される。
【００１２】
又、別の方法は、記録した映像ファイルを所定数分割するとともに、分割された各部分から所定間隔の映像を抜き出して、抜き出した映像の各シーンを構成するフレームを縮小してダイジェスト映像を作成する方法である。即ち、記録した映像ファイルをｎ個の映像に分割し、分割された各映像から所定間隔となる時間ｔのシーンの映像を抜き出してダイジェスト映像を作成する。
【００１３】
よって、ｎを３としたとき、図１２のように、３分割された映像ファイルＡ，Ｂ，Ｃはそれぞれ、時間ｔのシーンの映像ｓａ１〜ｓａ３，ｓｂ１〜ｓｂ３，ｓｃ１〜ｓｃ３が抜き出されて、ダイジェスト映像ファイルＤａ，Ｄｂ，Ｄｃが作成される。このように、その時間の長さが映像ファイルの時間の長さと関係なく一定となるダイジェスト映像ファイルが作成される。
【００１４】
【発明が解決しようとする課題】
しかしながら、このように生成されるダイジェスト映像ファイルは、記録されている映像ファイルの内容とは無関係に、予め設定された時間間隔又は分割数によって分割され、分割された映像より所定間隔のシーンとなる映像を抽出して、ダイジェスト映像ファイルが作成される。よって、設定された間隔毎に自動的に所定間隔のシーンとなる映像が抜き出されるため、ユーザーの所望するダイジェスト映像ファイルが作成されないことがある。即ち、例えば、記録された映像ファイルがテレビ番組である場合、抜き出されたシーンが番組でなく、コマーシャル映像であるなどして、その映像ファイルの内容を示すものでなくなる恐れがある。
【００１５】
このような問題を鑑みて、本発明は、変化の少ないシーン毎に映像を抜き出すことによってダイジェスト映像ファイルを作成するダイジェスト映像ファイル作成方法を提供することを目的とする。又、このダイジェスト映像ファイル作成方法を備えた映像記録再生装置を提供することを目的とする。
【００１６】
【課題を解決するための手段】
上記目的を達成するために、本発明のダイジェスト映像ファイル作成方法は、映像ファイルを記録メディアに記録する第１ステップと、記録される前記映像ファイルにおいて著しく映像が変化するシーン変化点を検出する第２ステップと、該第２ステップで検出した前記シーン変化点と前回検出した前記シーン変化点との間のデータで構成されるブロック内の映像の再生される時間となる映像変化の少ないシーン無変化時間を測定する第３ステップと、前記ブロックそれぞれの先頭から所定時間の映像を抽出して連続的に並べることによって作成されるダイジェスト映像ファイルの一部として前記ブロック毎に抽出した前記所定時間の映像の数が所定数を満たしているか否かを確認する第４ステップと、前記第４ステップにおいて前記ダイジェスト映像ファイルの一部として前記ブロック毎に抽出した前記所定時間の映像の数が前記所定数を満たしていないことを確認したとき、前記第２ステップにおいて前記シーン変化点を検出して得られた前記ブロックより前記所定時間の映像を抽出して前記ダイジェスト映像ファイルの一部とする第５ステップと、前記第４ステップにおいて前記ダイジェスト映像ファイルの一部として前記ブロック毎に抽出した前記所定時間の映像の数が前記所定数を満たしていることを確認したとき、既に抽出した前記所定時間の映像に対する前記ブロックそれぞれの前記シーン無変化時間のうち最短となる最短シーン無変化時間よりも前記第３ステップにおいて測定された前記シーン無変化時間が長いか否かを確認する第６ステップと、該第６ステップにおいて、前記最短シーン無変化時間よりも前記第３ステップにおいて測定された前記シーン無変化時間が長いことを確認したとき、前記最短シーン無変化時間となる前記ブロックの前記所定時間の映像に代わって、前記第２ステップにおいて前記シーン変化点を検出して得られた前記ブロックの前記所定時間の映像を抽出して前記ダイジェスト映像ファイルの一部とする第７ステップと、抽出された前記所定時間の映像が時系列順に並べられることによって前記ダイジェスト映像ファイルが作成される第８ステップと、を備えることを特徴とする。
【００１８】
即ち、シーン変化点を検出すると、検出した該シーン変化点までのブロックに対する前記所定時間の映像を抽出する。そして、該ブロックのシーン無変化時間の長さに基づいて、抽出した前記所定時間の映像を前記ダイジェスト映像ファイルの一部の映像として一時的に保持するか否か決定する。このような動作を繰り返し行い、記録動作が終了したとき、最終的に保持されていた複数の前記所定時間の映像より前記ダイジェスト映像ファイルを作成する。
【００２０】
このようにすることで、前記シーン変化点が検出される毎に、前記ダイジェスト映像ファイルを構成する前記所定時間の映像が更新され、前記映像ファイルの記録を終了したときに、前記ダイジェスト映像ファイルが作成されて、前記映像ファイルとともに記録メディアに記録される。
【００２１】
又、本発明のダイジェスト映像ファイル再生方法は、映像ファイルを記録メディアに記録する第１ステップと、記録される前記映像ファイルにおいて著しく映像が変化するシーン変化点を検出する第２ステップと、該第２ステップで検出した前記シーン変化点と前回検出した前記シーン変化点との間のデータで構成されるブロック内の映像の再生される時間となる映像変化の少ないシーン無変化時間を測定する第３ステップと、前記第２ステップにおける前記シーン変化点の検出によって得られた前記ブロックが前記第１ステップで記録された前記記録メディアにおける記録位置を示す記録位置情報を獲得する第４ステップと、前記ブロックそれぞれの先頭から所定時間の映像を抽出して連続的に並べることによって作成されるダイジェスト映像ファイルの一部として前記所定時間の映像を抽出するために、前記第４ステップにおいて獲得された前記記録位置情報を保持する第５ステップと、既に保持された前記記録位置情報の数が所定数を満たしているか否かを確認する第６ステップと、前記第６ステップにおいて既に保持された前記記録位置情報の数が前記所定数を満たしていないことを確認したとき、前記第５ステップにおける前記記録位置情報の保持を実行させる第７ステップと、前記第６ステップにおいて既に保持された前記記録位置情報の数が前記所定数を満たしていることを確認したとき、既に保持した前記記録位置情報に対する前記ブロックそれぞれの前記シーン無変化時間のうち最短となる最短シーン無変化時間よりも前記第３ステップにおいて測定された前記シーン無変化時間が長いか否かを確認する第８ステップと、該第８ステップにおいて前記最短シーン無変化時間よりも前記第３ステップにおいて測定された前記シーン無変化時間が長いことを確認したとき、前記第５ステップにおける前記記録位置情報の保持を実行させる第９ステップと、最終的に保持された前記所定数の記録位置情報で指定される前記記録メディア内の前記ブロックより前記所定時間の映像を抽出して時系列順に連続的に並べることにより前記ダイジェスト映像ファイルを作成する第１０ステップと、を備えることを特徴とする。
【００２２】
このとき、前記第１ステップにおける前記映像ファイルの記録終了時に、前記第１０ステップが実行されるとともに、前記第１０ステップで作成された前記ダイジェスト映像ファイルが記録されるものとすることで、前記シーン変化点が検出される毎に、前記ダイジェスト映像ファイルを構成する前記所定時間の映像を抽出するためのブロックの記録位置情報が更新され、前記映像ファイルの記録を終了したときに保持された記録位置情報より認識されるブロックから前記所定時間の映像が抽出されて、前記ダイジェスト映像ファイルが作成され、前記映像ファイルとともに記録メディアに記録される。
【００２４】
このとき、前記ダイジェスト映像ファイルの再生が指示された時に、前記第１０ステップが実行されるとともに、前記第１０ステップで作成された前記ダイジェスト映像ファイルが再生されるものとすることで、前記シーン変化点が検出される毎に、前記ダイジェスト映像ファイルを構成する前記所定時間の映像を抽出するためのブロックの記録位置情報が更新され、前記映像ファイルの記録を終了したときに保持された記録位置情報が前記映像ファイルとともに記録メディアに記録される。そして、ダイジェスト映像が表示されるときに、記録メディアに記録された記録位置情報より認識されるブロックから前記所定時間の映像が抽出されて、前記ダイジェスト映像ファイルが作成される。
【００２６】
上述のダイジェスト映像ファイル作成方法において、前記ダイジェスト映像ファイルを構成する映像を、記録される映像ファイルの映像を縮小した映像としても構わない。
【００２７】
本発明の映像記録再生装置は、入力された映像信号より映像ファイルを記録する記録メディアと、該記録メディアに記録された映像ファイルの映像信号を復号化するデコーダと、を有する映像記録再生装置において、入力された前記映像信号より、記録される前記映像ファイルにおいて著しく映像が変化するシーン変化点を検出する変化点検出部と、該変化点検出部で検出された前記シーン変化点によって前記映像ファイルを複数のブロックに分割して、該ブロック内の映像の再生される時間となる映像変化の少ないシーン無変化時間が長いブロックから順に所定数のブロックを選出するブロック選出部と、前記ブロック選出部で選出した前記所定数のブロックそれぞれの先頭から所定時間の映像を抽出するダイジェスト映像抽出部と、前記ダイジェスト映像抽出部で抽出された前記所定時間の映像を一時的に保持する映像記録部と、前記映像記録部で一時的に保持された複数の前記所定時間の映像を時系列順に並べることによってダイジェスト映像ファイルを作成するダイジェスト作成部と、を有し、前記変化点検出部で前記シーン変化点を検出したとき、既に前記ブロック選出部で選出されたブロックの数が前記所定数を満たしていない場合は、前記ブロック選出部で前記シーン変化点を検出して得られたブロックを選出して、前記ダイジェスト映像抽出部が該ブロックより抽出した前記所定時間の映像を前記ダイジェスト映像ファイルの一部として前記映像記録部に保持し、又、既に前記ブロック選出部で選出されたブロックの数が前記所定数を満たしている場合は、前記ブロック選出部で既に選出した前記所定数のブロックそれぞれのシーン無変化時間のうち最短となる最短シーン無変化時間よりも前記シーン変化点を検出して得られたブロックのシーン無変化時間が長いと、前記ブロック選出部が前記最短シーン無変化時間となるブロックに代わって前記シーン変化点を検出して得られたブロックを選出し、前記ダイジェスト映像抽出部が該ブロックより抽出した前記所定時間の映像を前記ダイジェスト映像ファイルの一部として前記映像記録部に保持するとともに前記最短シーン無変化時間となるブロックより抽出した前記所定時間の映像を前記映像記録部から削除し、ダイジェスト作成部において、最終的に前記映像記録部に保持された複数の前記所定時間の映像を連続的に並べることによってダイジェスト映像ファイルを作成して、前記記録メディアに記録することを特徴とする。
【００２９】
このとき、後述する第１の実施形態において、ダイジェスト映像バッファが映像記録部を、バッファ制御部がブロック選出部を、縮小処理部及び縮小映像バッファがダイジェスト映像抽出部を構成する。
【００３０】
又、本発明の映像記録再生装置は、入力された映像信号より映像ファイルを記録する記録メディアと、該記録メディアに記録された映像ファイルの映像信号を復号化するデコーダと、を有する映像記録再生装置において、入力された前記映像信号より、記録される前記映像ファイルにおいて著しく映像が変化するシーン変化点を検出する変化点検出部と、該変化点検出部で検出された前記シーン変化点によって前記映像ファイルを複数のブロックに分割して、該ブロック内の映像の再生される時間となる映像変化の少ないシーン無変化時間が長いブロックから順に所定数のブロックを選出するブロック選出部と、前記ブロック選出部で選出されたブロックの前記記録メディアに記録された記録位置を示す記録位置情報を一時的に保持する位置情報記録部と、前記位置情報記録部に保持された複数の前記記録位置情報によって前記記録メディアより検索される複数のブロックそれぞれから前記所定時間の映像を前記ダイジェスト映像抽出部によって抽出して時系列順に並べることによってダイジェスト映像ファイルを作成するダイジェスト作成部と、を有するとともに、前記変化点検出部で前記シーン変化点を検出したとき、既に前記ブロック選出部で選出されたブロックの数が前記所定数を満たしていない場合は、前記ブロック選出部で前記シーン変化点を検出して得られたブロックを選出して、選出した該ブロックの記録位置情報を前記位置情報記録部に保持し、又、既に前記ブロック選出部で選出されたブロックの数が前記所定数を満たしている場合は、前記ブロック選出部で既に選出した前記所定数のブロックそれぞれのシーン無変化時間のうち最短となる最短シーン無変化時間よりも前記シーン変化点を検出して得られたブロックのシーン無変化時間が長いと、前記ブロック選出部が前記最短シーン無変化時間となるブロックに代わって前記シーン変化点を検出して得られたブロックを選出し、選出した該ブロックの前記記録位置情報を前記位置情報記録部に保持するとともに前記最短シーン無変化時間となるブロックの前記記録位置情報を前記位置情報記録部から削除し、前記ダイジェスト作成部において、最終的に前記位置情報記録部に保持された複数の前記記録位置情報によって前記記録メディアより検索される複数のブロックそれぞれから前記所定時間の映像を前記ダイジェスト映像抽出部によって抽出して連続的に並べることによってダイジェスト映像ファイルを作成することを特徴とする。
【００３１】
このとき、後述する第２又は第３の実施形態において、縮小制御部が位置情報記録部及びブロック選出部を、縮小処理部がダイジェスト映像抽出部を構成する。
【００３２】
このような映像記録再生装置において、前記ダイジェスト映像ファイルが作成されるとともに、前記記録メディアに記録されるようにしても構わないし、前記ダイジェスト映像ファイルの再生が指示された時に、前記ダイジェスト映像ファイルが作成されるとともに、作成された前記ダイジェスト映像ファイルが再生されるようにしても構わない。
【００３４】
更に、上述の映像記録再生装置において、前記ダイジェスト映像抽出部において、抽出した映像を縮小するものとしても構わない。
【００３５】
【発明の実施の形態】
＜第１の実施形態＞
本発明の第１の実施形態について、図面を参照して以下に説明する。図１は、本実施形態の映像記録再生装置の内部構成を示すブロック図である。図１の映像記録再生装置において、図７の映像記録再生装置と同一の目的で使用する部分については、同一の符号を付して、その詳細な説明を省略する。
【００３６】
図１の映像記録再生装置は、放送信号が入力されるチューナー１と、チューナー１で選局されて得られた放送信号より分離された映像信号を復号化する映像デコーダ２と、チューナー１で分離された映像信号を映像ファイルとして記録する記録メディア３と、チューナー１に選局するチャンネルなどの指示を与えるとともに動作時刻をタイマー５に指示する操作部４と、録画日時を確認するためのタイマー５と、映像デコーダ２より与えられる映像信号よりシーンの変化する部分（以下、「シーン変化点」と呼ぶ）を検出する変化点検出部６と、映像デコーダ２より与えられる映像信号に対して縮小処理を施す縮小処理部７と、縮小処理部７で縮小された各シーンを構成する複数フレームのサムネイル画像を一時的に格納する縮小映像バッファ８と、縮小映像バッファ８に格納されたサムネイル画像よりダイジェスト映像ファイルを生成するダイジェスト映像バッファ９と、縮小映像バッファ８とダイジェスト映像バッファ９との間を接離するスイッチＳＷと、変化点検出部６の出力に応じてスイッチＳＷ及びダイジェスト映像バッファ９を制御するバッファ制御部１０と、を有する。
【００３７】
放送信号がチューナー１に入力されると、操作部４が操作されて指示されたユーザー所望のチャンネルの放送信号が選局され、選局された放送信号から得られたＴＳパケットが分離されて、映像信号が映像ファイルとして記録メディア３に記録される。このとき、操作部４より指示されたチャンネル情報が出力されるとともに、操作部４より録画を指示された日時を表す録画日時情報がタイマー５より出力される。このチャンネル情報及び録画日時情報が、記録メディア３に記録される映像ファイルのインデックス情報として記録される。
【００３８】
又、この記録メディア３に記録された映像信号が映像デコーダ２に送出され、ＭＰＥＧ方式などの圧縮符号化方式に従って復号化される。そして、映像デコーダ２より映像信号が変化点検出部６に与えられる。この変化点検出部６において、映像信号に含まれる動き予測情報や輝度変化情報より各フレーム毎の差分データを領域毎に演算し、その差分データの大きい領域が所定領域数以上あった場合、シーン変化があったものとして、シーン変化点を検出する。
【００３９】
このとき、映像デコーダ２からの映像信号は縮小処理部７にも与えられ、縮小処理部７において、変化点検出部６からの信号に応じて、与えられた映像信号を１フレーム毎に縮小処理を行ってサムネイル画像を作成する。そして、作成されたサムネイル画像が縮小映像バッファ８に与えられ、縮小映像バッファ８に一時的に格納される。その後、変化点検出部６でシーン変化点から所定時間経過したことが確認されてバッファ制御部１０に信号が与えられると、スイッチＳＷがＯＮとされて、縮小映像バッファ８に格納されているサムネイル画像が順にダイジェスト映像バッファ９に与えられる。
【００４０】
そして、サムネイル画像がダイジェスト映像バッファ９に与えられると、バッファ制御部１０によって指定されたサムネイル画像によってダイジェスト映像ファイルが作成されて、記録メディア３に記録される。このようにして、ダイジェスト映像ファイルが作成されて、チューナー１で選局されて得た映像ファイル及びインデックス情報とともに記録メディア３に記録されるときの、各部の詳細な動作について、図２のフローチャートを参照して説明する。
【００４１】
操作部４が操作されて、記録動作が開始されると（ＳＴＥＰ１）、ブロック数ｎを１として初期化するとともに、縮小処理時間ｔｘを初期化する（ＳＴＥＰ２）。尚、このブロック数ｎは、記録された映像ファイルをシーン変化点毎に分割することで得られたシーンブロック（以下、単に「ブロック」と呼ぶ）の数である。又、ブロック数ｎが計数されたときのブロックをブロックＢnとする。又、縮小処理時間ｔｘは、縮小処理部７において縮小処理が行われている時間をタイマー５において計測したもので、シーン変化点が検出されることで縮小処理が開始されてから所定時間ｔｋが経過したかを確認するためのものである。
【００４２】
そして、タイマー５で確認された録画開始時刻をシーン変化時刻Ｔ0としてバッファ制御部１０に格納した後（ＳＴＥＰ３）、縮小処理部７において各フレーム毎のサムネイル画像を、ブロックＢnにおける縮小映像Ｓnのサムネイル画像として作成を開始し、縮小映像バッファ８に格納する（ＳＴＥＰ４）。その後、変化点検出部６において、シーン変化点が検出されたか否かが確認される（ＳＴＥＰ５）。
【００４３】
変化点検出部６でシーン変化点が確認されなかったとき（Ｎｏ）、タイマー５において計測された縮小処理時間ｔｘより所定時間ｔｋが経過したか否かが確認される（ＳＴＥＰ６）。このとき、所定時間ｔｋが経過しているときは（Ｙｅｓ）、縮小処理部７の縮小動作を終了して（ＳＴＥＰ７）、操作部４より録画動作の終了が指示されたか否かが確認される（ＳＴＥＰ８）。又、所定時間ｔｋが経過していないときは（Ｎｏ）、そのまま、ＳＴＥＰ８に移行する。
【００４４】
ＳＴＥＰ５でシーン変化点が確認されたとき（ＹＥＳ）、このシーン変化点が検出された時刻を、シーン変化時刻Ｔnとしてバッファ制御部１０に格納した後（ＳＴＥＰ９）、確認したシーン変化時刻Ｔnから前回のシーン変化時刻Ｔn-1を減算した値Ｔn−Ｔn-1を、シーン変化の無いシーン無変化時間Ｄnとして求められる（ＳＴＥＰ１０）。そして、ダイジェスト映像バッファ９に格納された縮小映像の数が所定ブロック数Ｎと比較される（ＳＴＥＰ１１）。尚、この所定ブロック数Ｎ分の縮小映像によって時間ｔｋ×Ｎのダイジェスト映像ファイルが生成される。
【００４５】
このとき、所定ブロック数Ｎと等しくなるとき（Ｙｅｓ）、シーン無変化時間Ｄnを最短シーン無変化時間Ｄminと比較する（ＳＴＥＰ１２）。尚、この最短シーン無変化時間Ｄminは、ダイジェスト映像バッファ９に格納された縮小映像に対するブロックにおいて、そのシーン無変化時間が最短となるものである。ＳＴＥＰ１２において、シーン無変化時間Ｄnが最短シーン無変化時間Ｄminより長いとき（Ｙｅｓ）、最短シーン無変化時間Ｄminに対する縮小映像Ｓminを構成するサムネイル画像が削除されるように、バッファ制御部１０によってダイジェスト映像バッファ９が制御される（ＳＴＥＰ１３）。
【００４６】
そして、バッファ制御部１０によってスイッチＳＷがＯＮとされて、縮小映像バッファ８からダイジェスト映像バッファ９に縮小映像Ｓnを構成するサムネイル画像が与えられ、ダイジェスト映像バッファ９に格納される（ＳＴＥＰ１４）。その後、バッファ制御部１０において、ダイジェスト映像バッファ９に格納された各縮小映像のシーン無変化時間が比較され、最短シーン無変化時間Ｄmin及び縮小映像Ｓminが確認されて格納される（ＳＴＥＰ１５）。そして、ブロック数ｎを１つ計数するとともに、縮小処理時間ｔｘを初期化する（ＳＴＥＰ１６）。
【００４７】
ＳＴＥＰ１１において、所定ブロック数Ｎより少ないとき（Ｎｏ）、シーン無変化時間Ｄnを所定時間ｔｋと比較する（ＳＴＥＰ１７）。このとき、シーン無変化時間Ｄnが所定時間ｔｋ以上となると（Ｙｅｓ）、縮小映像Ｓnを構成するサムネイル画像がダイジェスト映像バッファ９に格納される（ＳＴＥＰ１４）。又、シーン無変化時間Ｄnが所定時間ｔｋよりも短いときは（Ｎｏ）、ブロック数ｎを１つ計数するとともに、縮小処理時間ｔｘを初期化する（ＳＴＥＰ１６）。
【００４８】
このようにＳＴＥＰ１〜ＳＴＥＰ１７の動作が行われている間、ＳＴＥＰ８において、操作部４によって録画終了が指示され録画動作が終了することが確認されると（Ｙｅｓ）、この録画終了時刻がシーン変化時刻Ｔnとしてバッファ操作部６に格納される（ＳＴＥＰ１８）。その後、シーン無変化時間Ｄnが求められてバッファ操作部６に格納される（ＳＴＥＰ１９）。
【００４９】
そして、ダイジェスト映像バッファ９に格納された縮小映像の数が所定ブロック数Ｎと比較される（ＳＴＥＰ２０）。このとき、所定ブロック数Ｎと等しいときは（Ｙｅｓ）、シーン無変化時間Ｄnが最短シーン無変化時間Ｄminと比較される（ＳＴＥＰ２１）。そして、最短シーン無変化時間Ｄminより長いとき（Ｙｅｓ）、縮小映像Ｓminがダイジェスト映像バッファ９から削除された後（ＳＴＥＰ２２）、縮小映像Ｓnがダイジェスト映像バッファ９に格納される（ＳＴＥＰ２３）。その後、ダイジェスト映像バッファ９に格納された縮小映像全てのサムネイル画像がダイジェスト映像ファイルとして記録メディア３に格納され、動作が終了する（ＳＴＥＰ２４）。
【００５０】
ＳＴＥＰ２０において、所定ブロック数Ｎより少ないときは（Ｎｏ）、シーン無変化時間Ｄnと所定時間ｔｋとが比較される（ＳＴＥＰ２５）。そして、シーン無変化時間Ｄnが所定時間ｔｋ以上となると（Ｙｅｓ）、縮小映像Ｓnのサムネイル画像がダイジェスト映像バッファ９に格納された後（ＳＴＥＰ２３）、ダイジェスト映像ファイルが記録メディア３に記録され、動作が終了する（ＳＴＥＰ２４）。
【００５１】
又、ＳＴＥＰ２１においてシーン無変化時間Ｄnが最短シーン無変化時間Ｄmin以下のとき（Ｎｏ）、ＳＴＥＰ２５においてシーン無変化時間Ｄnが所定時間ｔｋよりも短いとき（Ｎｏ）、ダイジェスト映像ファイルが記録メディア３に格納され、動作が終了する（ＳＴＥＰ２４）。
【００５２】
このように動作するとき、図３のような番組が録画されるように、操作部４が操作されたものとする。まず、録画開始時刻がシーン変化時刻Ｔ0としてバッファ制御部１０に格納され、ブロックＢ1の記録メディア３への記録が開始されるとともに、縮小処理部７の動作が開始されて縮小映像Ｓ1のサムネイル画像の作成が開始されて、縮小映像バッファ８に格納される。そして、シーン変化時刻Ｔ0から所定時間ｔｋが経過したことが確認されると、縮小処理部７の動作が停止される。
【００５３】
その後、シーン変化点が変化点検出部６で検出されると、バッファ制御部１０において、シーン変化時刻Ｔ1が格納されるとともに、ブロックＢ1のシーン無変化時間Ｄ1＝Ｔ1−Ｔ0が求められて格納される。今、所定ブロック数Ｎを５とすると、ダイジェスト映像バッファ９に格納された縮小映像の数が０であるとともにシーン無変化時間Ｄ1が所定時間ｔｋより長くなるため、スイッチＳＷがＯＮとされる。そして、縮小映像バッファ８に格納された縮小映像Ｓ１のサムネイル画像がダイジェスト映像バッファ９に格納される。又、最短シーン無変化時間Ｄmin＝Ｄ1とするとともに、ＳminをＳ1としてバッファ制御部１０に記録する。
【００５４】
次に、ブロック数ｎを２として、ブロックＢ2の記録メディア３への記録と縮小映像Ｓ2の作成及び縮小映像バッファ８への格納が開始される。その後、シーン変化時刻Ｔ1から所定時間ｔｋが経過すると、縮小処理部７の動作が停止する。そして、シーン変化点が検出されてシーン変化時刻Ｔ2がバッファ制御部１０に格納されると、ブロックＢ2のシーン無変化時間Ｄ2＝Ｔ2−Ｔ1が求められてバッフ制御部１０に格納される。
【００５５】
このとき、ダイジェスト映像バッファ９に格納された縮小映像の数が１で５より少なく、又、シーン無変化時間Ｄ2が所定時間ｔｋより長くなるため、スイッチＳＷがＯＮとされて、縮小映像Ｓ2のサムネイル画像がダイジェスト映像バッファ９に格納される。又、Ｄ1＞Ｄ2であるとき、最短シーン無変化時間Ｄmin＝Ｄ2とするとともに、ＳminをＳ2としてバッファ制御部１０に記録する。
【００５６】
同様の動作を行うことで、ブロックＢ3が記録される際、シーン変化時刻Ｔ3が確認されると、求められたシーン無変化時間Ｄ3が所定時間ｔｋより長いので、バッファ制御部１０に格納された後に、縮小映像Ｓ3のサムネイル画像がダイジェスト映像バッファ９に格納される。このとき、Ｄ3＞Ｄ2であるので、ＤminがＤ2とされるとともにＳminがＳ2とされる。
【００５７】
そして、ブロックＢ4が記録メディア３へ記録される際、シーン変化時刻Ｔ4が確認されると、シーン無変化時間Ｄ4が求められる。このシーン無変化時間Ｄ4が所定時間ｔｋよりも短くなるため、スイッチＳＷがＯＦＦのままとされ、次のブロックＢ5の記録メディア３への記録が開始される。このとき、縮小処理部７から続いてサムネイル画像が縮小映像バッファ８に与えられると、与えられたサムネイル画像の数に従って、縮小映像バッファ８に格納されたサムネイル画像が削除される。即ち、縮小映像バッファ８において、次のブロックＢ5に対する縮小映像Ｓ5のサムネイル画像が順に与えられると、縮小映像Ｓ4のサムネイル画像が順に削除される。
【００５８】
その後、ブロックＢ5，Ｂ6が記録される際、シーン変化時刻Ｔ5，Ｔ6が確認されるとき、求められたシーン無変化時間Ｄ5，Ｄ6が所定時間ｔｋよりも長いため、縮小映像Ｓ5，Ｓ6のサムネイル画像がダイジェスト映像バッファ９に格納される。又、Ｄ6＞Ｄ5＞Ｄ2であるとき、最短シーン無変化時間ＤminはＤ2のままであるとともに、ＳminもＳ2のままである。
【００５９】
又、ブロックＢ7が記録されて、シーン変化時刻Ｔ7のシーン変化点が検出されると、ダイジェスト映像バッファ９に格納された縮小映像の数が５であるので、求められたシーン無変化時間Ｄ7が最短シーン無変化時間Ｄminとなるシーン無変化時間Ｄ2と比較される。今、Ｄ7＜Ｄ2となるため、スイッチＳＷがＯＦＦのままとされる。よって、縮小映像バッファ８において、次のブロックＢ8に対する縮小映像Ｓ8のサムネイル画像が順に与えられると、縮小映像Ｓ7のサムネイル画像が順に削除される。
【００６０】
更に、録画停止が操作部４によって操作されると、録画終了時刻がシーン変化時刻Ｔ8とされ、ブロックＢ8のシーン無変化時間Ｄ8＝Ｔ8−Ｔ7が求められると、シーン無変化時間Ｄ8が最短シーン無変化時間Ｄminとなるシーン無変化時間Ｄ2と比較される。今、Ｄ8＞Ｄ2となるため、ダイジェスト映像バッファ９から縮小映像Ｓ2のサムネイル画像が削除された後、スイッチＳＷがＯＮとされて、縮小映像Ｓ8のサムネイル画像がダイジェスト映像バッファ９に格納される。その後、ダイジェスト映像バッファ９に格納された縮小映像Ｓ1，Ｓ3，Ｓ5，Ｓ6，Ｓ8のサムネイル画像よりダイジェスト映像ファイルが形成されて記録メディア３に格納される。
【００６１】
よって、記録メディア３の記録内容の検索画面が表示されるとき、記録メディア３にインデックス情報として記録されたチャンネル情報や録画日時情報とともに、上述のようにして記録メディア３に記録されたダイジェスト映像ファイルが読み出されて表示される。即ち、記録メディア３に図３のような映像ファイルが記録されているとき、図４のように、ブロックＢ1，Ｂ3，Ｂ5，Ｂ6，Ｂ8における縮小映像Ｓ1，Ｓ3，Ｓ5，Ｓ6，Ｓ8の順にダイジェスト映像ファイルが繰り返し表示される。
【００６２】
このとき、従来と同様、図８のように、インデックス情報がフォントＲＯＭ５２でインデックス情報であるチャンネル情報及び録画日時情報が文字画像に変換された後、記録メディア３に格納されたダイジェスト映像ファイルと画像合成部５３で合成されて、表示部５４に表示される。尚、ダイジェスト映像ファイルを構成する各サムネイル画像毎に画像合成部５３において画像の合成が行われる。
【００６３】
このようにすることで、シーン無変化時間の長いブロックの縮小映像を所定ブロック数分組み合わせることによってダイジェスト映像ファイルが作成される。このとき、図２のように、ＳＴＥＰ１７及びＳＴＥＰ２５を設けることで、コマーシャル映像のように、シーン無変化時間が各ブロックの縮小映像に割り当てられた所定時間ｔｋよりも短い場合は、そのブロックの縮小映像を削除することができる。尚、ＳＴＥＰ１７及びＳＴＥＰ２５において、所定時間ｔｋと異なる時間と比較することにより、所定時間ｔｋ以上であっても、ある一定の時間よりシーン無変化時間が短いブロックについては、その縮小映像をダイジェスト映像ファイルの一部としないようにしても構わない。
【００６４】
＜第２の実施形態＞
本発明の第２の実施形態について、図面を参照して以下に説明する。図５は、本実施形態の映像記録再生装置の内部構成を示すブロック図である。図５の映像記録再生装置において、図１の映像記録再生装置と同一の目的で使用する部分については、同一の符号を付して、その詳細な説明を省略する。
【００６５】
図５の映像記録再生装置は、チューナー１と、映像デコーダ２と、記録メディア３と、操作部４と、タイマー５と、変化点検出部６と、縮小処理部７と、ダイジェスト映像バッファ９と、縮小映像を作成するブロックの記録メディア３におけるアドレス位置を格納するとともに格納したシーン変化時刻に応じて縮小映像ファイルが作成されるように各部を制御する縮小制御部２０とを有する。又、この映像記録再生装置は、図１の映像記録再生装置と異なり、縮小処理部７で作成されたサムネイル画像がダイジェスト映像バッファ９に与えられる。
【００６６】
このような構成の映像記録再生装置において、第１の実施形態と同様、録画開始が操作部４が操作されて指示されると、チューナー１で得られた映像信号が記録メディア３に記録される。このとき、チューナー１及びタイマー５から与えられるチャンネル情報及び録画日時情報がインデックス情報として記録メディア３に記録される。この記録メディア３に記録された映像信号が、映像デコーダ２に送出されて復号化される。そして、映像デコーダ２で復号化された映像信号に基づいて、変化点検出部６でシーン変化点が検出される。
【００６７】
そして、変化点検出部６で録画開始後ｎ回目のシーン変化点が検出されると、その検出されたときの時刻が縮小制御部２０においてシーン変化時刻Ｔnとしてタイマー５より与えられる時刻から確認する。又、録画が開始されたときは、タイマー５より与えられる録画開始時刻をシーン変化時刻Ｔ0として縮小制御部２０で確認される。更に、録画が終了されたときは、タイマー５より与えられる録画終了時刻をシーン変化時刻Ｔnとして縮小制御部２０で確認される。
【００６８】
このようにして、シーン変化時刻Ｔnが確認されると、第１の実施形態と同様、縮小制御部２０においてブロックＢnのシーン無変化時間Ｄn＝Ｔn−Ｔn-1が求められる。そして、縮小制御部２０に格納されているブロックのアドレス位置の数が所定ブロック数Ｎよりも少ないときは、シーン無変化時間Ｄnが所定時間ｔｋより長くなる場合のみ、ブロックＢnの記録開始時刻となるシーン変化時刻Ｔn-1のときの映像信号が記録された記録メディア３におけるアドレス位置Ａn（以下、「開始アドレス位置Ａn」とする）を縮小制御部２０に格納する。
【００６９】
又、縮小制御部２０に格納されている開始アドレス位置の数が所定ブロック数Ｎと等しいときは、シーン無変化時間Ｄnが最短シーン無変化時間Ｄminより長くなる場合のみ、最短シーン無変化時間Ｄminとなるブロックの開始アドレス位置Ａminを削除した後、ブロックＢnの記録開始時刻となるシーン変化時刻Ｔn-1の映像信号が格納された開始アドレス位置Ａnを縮小制御部２０に格納する。更に、このように開始アドレス位置Ａnが縮小制御部２０に格納される毎に、最短シーン無変化時間Ｄminが求められるとともに、そのブロックの開始アドレス位置Ａminが特定される。
【００７０】
そして、操作部４が操作されて録画停止が指示されると、縮小制御部２０によって映像デコーダ２及び縮小処理部７の動作が制御される。このとき、縮小制御部２０に記録された各開始アドレス位置に応じたブロックの所定時間ｔｋ分の映像信号が、記録メディア３より読み出されて映像デコーダ２に与えられる。そして、映像デコーダ２で復号化された映像信号が縮小処理部７に与えられて、各フレーム毎にサムネイル画像が作成された後、ダイジェスト映像バッファ９に格納される。その後、録画終了すると、ダイジェスト映像バッファ９に格納された縮小映像がダイジェスト映像ファイルとして記録メディア３に記録される。
【００７１】
このように動作するとき、第１の実施形態と同様、図３のような番組が録画されるものとするとともに、所定ブロック数Ｎを５とする。録画が開始されると、まず、録画開始時刻がシーン変化時刻Ｔ0として縮小制御部２０に格納される。そして、次に、シーン変化点が変化検出部６で検出されると、シーン変化時刻Ｔ1が確認されるとともに、ブロックＢ1のシーン無変化時間Ｄ1が求められる。このとき、縮小制御部２０には開始アドレス位置が格納されていない状態であるとともにシーン無変化時間Ｄ1が所定時間ｔｋより長いので、縮小制御部２０において、シーン変化時刻Ｔ0における映像信号が記録された開始アドレス位置Ａ1が記録されるとともにＤminをＤ1、ＡminをＡ1とする。
【００７２】
その後、ブロックＢ2の記録が開始され、変化点検出部６でシーン変化点が検出されると、シーン変化時刻Ｔ2が確認されるとともに、ブロックＢ2のシーン無変化時間Ｄ2が求められる。このとき、縮小制御部２０には開始アドレス位置Ａ1のみが格納された状態であるとともにシーン無変化時間Ｄ2が所定時間ｔｋより長いので、縮小制御部２０において、開始アドレス位置Ａ2が記録される。更に、Ｄ1＞Ｄ2であるため、縮小制御部２０において、ＤminをＤ2、ＡminをＡ2とする。
【００７３】
シーン変化時刻Ｔ3が確認されると、縮小制御部２０に格納される開始アドレス位置の数が５となるまで同様の動作が行われるため、ブロックＢ3の開始アドレス位置Ａ3が縮小制御部２０に格納される。次に、シーン変化時刻Ｔ4が確認されると、求められたシーン無変化時間Ｄ4が所定時間ｔｋより短くなるため、ブロックＢ4の開始アドレス位置Ａ4は縮小制御部２０に格納されない。
【００７４】
そして、シーン変化時刻Ｔ5，Ｔ6が確認されると、ブロックＢ5，Ｂ6の開始アドレス位置Ａ5，Ａ6が縮小制御部２０に格納される。その後、縮小制御部２０に格納される開始アドレス位置の数が５となるため、シーン変化時刻Ｔ7が確認されたとき、求められたシーン無変化時間Ｄ7が最短シーン無変化時間Ｄminと比較される。このとき、Ｄ7＜Ｄ2となるので、ブロックＢ7の開始アドレス位置Ａ7は縮小制御部２０に格納されない。
【００７５】
最後に、録画停止が操作部４によって操作されると、録画終了時刻がシーン変化時刻Ｔ8とされ、求められたシーン無変化時間Ｄ8が最短シーン無変化時間Ｄminとなるシーン無変化時間Ｄ2と比較される。今、Ｄ8＞Ｄ2となるため、縮小制御部２０において、ブロックＢ2の開始アドレス位置Ａ2が削除されるとともにブロックＢ8の開始アドレス位置Ａ8が格納される。
【００７６】
このようにして、録画が終了すると、縮小制御部２０に格納された記録メディア３における開始アドレス位置Ａ1，Ａ3，Ａ5，Ａ6，Ａ8に順にアクセスして、記録メディア３に記録されたブロックＢ1，Ｂ3，Ｂ5,Ｂ6，Ｂ8における所定時間ｔｋ分の映像信号が読み出されるように、映像デコーダ２が制御される。そして、映像デコーダ２によって、ブロックＢ1，Ｂ3，Ｂ5，Ｂ6，Ｂ8それぞれにおけるシーン変化時刻Ｔ0，Ｔ2，Ｔ4，Ｔ5，Ｔ7から所定時間ｔｋ分のシーンを表す映像信号が復号化されると、縮小処理部７で縮小処理が施される。
【００７７】
このとき、縮小処理部７で作成された縮小映像Ｓ1，Ｓ3，Ｓ5，Ｓ6，Ｓ8のサムネイル画像が順にダイジェスト映像バッファ９に与えられて格納される。この縮小映像Ｓ1，Ｓ3，Ｓ5，Ｓ6，Ｓ8のサムネイル画像が全て格納されると、図４のように縮小映像Ｓ1，Ｓ3，Ｓ5，Ｓ6，Ｓ8のサムネイル画像より成るダイジェスト映像ファイルが形成されて記録メディア３に格納される。
【００７８】
このように、本実施形態によると、第１の実施形態と異なり、映像信号の記録時と同時に縮小処理を施してダイジェスト映像ファイルの作成を行うのではなく、ダイジェスト映像ファイルを作成するのに必要なブロックの開始アドレス位置を格納し、録画終了と同時に、格納した開始アドレス位置より検索されたブロックの所定時間ｔｋ分の映像信号を用いて、ダイジェスト映像ファイルの作成を行う。よって、第１の実施形態のように、画像ファイルの記録時に同時に縮小処理部７を動作させて、全てのブロックに対して縮小処理を施すことがない。
【００７９】
尚、本実施形態において、記録メディア３の記録内容の検索画面が表示されるとき、図８のように、記録メディア３にインデックス情報として記録されたチャンネル情報や録画日時情報による文字画像がフォントＲＯＭ５２で作成され、上述のようにして記録メディア３に記録されたダイジェスト映像ファイルによる各サムネイル画像と画像合成部５３で合成された後、表示部５４で表示される。
【００８０】
＜第３の実施形態＞
本発明の第３の実施形態について、図面を参照して以下に説明する。図６は、本実施形態の映像記録再生装置の内部構成を示すブロック図である。図６の映像記録再生装置において、図５の映像記録再生装置と同一の目的で使用する部分については、同一の符号を付して、その詳細な説明を省略する。
【００８１】
図６の映像記録再生装置は、縮小処理部７から縮小処理されたサムネイル画像が画像合成部５３に与えられ、又、縮小制御部２０で格納されたダイジェスト映像ファイルとされるブロックの開始アドレス位置が記録メディア３に記録されるとともに、記録メディア３に記録された開始アドレス位置が縮小制御部２０によって読み出される。
【００８２】
このような構成の映像記録再生装置において、第２の実施形態と同様の動作を行うことによって、シーン無変化時間の長いブロックに対する開始アドレス位置が、所定ブロック数Ｎだけ縮小制御部２０に格納される。そして、録画動作が停止されると、第２の実施形態と異なり、ダイジェスト映像ファイルの作成が行われずに、縮小制御部２０に格納された開始アドレス位置が記録メディア３に記録される。
【００８３】
その後、操作部４が操作されて検索画面の表示が指示されると、記録メディア３に記録された各映像ファイルに対するダイジェスト映像ファイルを作成するために、同じく記録メディア３に映像ファイルの記録時に記録された開始アドレス位置が縮小制御部２０によって読み出される。そして、読み出した開始アドレス位置に従って、時間ｔｋ分の映像信号を各ブロック毎に読み出すように映像デコーダ２が制御された後、読み出された映像信号が映像デコーダ２で復号化される。この復号化された映像信号に縮小処理部７で縮小処理が施されて得られたサムネイル画像が画像合成部５３に与えられてインデックス情報と合成されて、表示部５４にダイジェスト映像として表示される。
【００８４】
よって、図３のような番組が録画されると、縮小制御部２０には、ブロックＢ1，Ｂ3，Ｂ5，Ｂ6，Ｂ8の記録メディア３における開始アドレス位置Ａ1，Ａ3，Ａ5，Ａ6，Ａ8が格納される。そして、録画動作が停止されると、縮小制御部２０に格納された開始アドレス位置Ａ1，Ａ3，Ａ5，Ａ6，Ａ8が記録メディア３に記録される。その後、検索画面の表示を行うように操作部４が操作されたとき、図４のような番組のダイジェスト映像ファイルを作成するために、縮小制御部２０によって、記録メディア３に記録された開始アドレス位置Ａ1，Ａ3，Ａ5，Ａ6，Ａ8が読み出される。
【００８５】
このようにして読み出された開始アドレス位置Ａ1，Ａ3，Ａ5，Ａ6，Ａ8に基づいて、縮小制御部２０に制御される映像デコーダ２が、ブロックＢ1，Ｂ3，Ｂ5，Ｂ6，Ｂ8それぞれにおけるシーン変化時刻Ｔ0，Ｔ2，Ｔ4，Ｔ5，Ｔ7から所定時間ｔｋ分のシーンを表す映像信号を順に読み出して、復号化する。この復号化された映像信号に対して、ブロックＢ1，Ｂ3，Ｂ5，Ｂ6，Ｂ8の順に、各フレーム毎に縮小処理部７で縮小処理が施される。
【００８６】
そして、縮小映像Ｓ1，Ｓ3，Ｓ5，Ｓ6，Ｓ8のサムネイル画像が各フレーム毎に画像合成部５３に与えられて、フォントＲＯＭ５２でインデックス情報より得られた文字画像と合成される。このように合成された縮小映像Ｓ1，Ｓ3，Ｓ5，Ｓ6，Ｓ8のサムネイル画像が順に表示部５４で再生表示されることによって、図４のように縮小映像Ｓ1，Ｓ3，Ｓ5，Ｓ6，Ｓ8により成るダイジェスト映像が表示される。
【００８７】
このように、本実施形態によると、第２の実施形態と異なり、映像信号の録画時に、記録メディア３内に、ダイジェスト映像ファイル自身でなく、ダイジェスト映像ファイルを作成するのに必要なブロックの開始アドレス位置を記録する。そして、検索画面表示を行う際に、格納した開始アドレス位置より検索されたブロックの所定時間ｔｋ分の映像信号を用いて、ダイジェスト映像ファイルの作成を行う。よって、ダイジェスト映像ファイルに比べてデータ量の少ない開始アドレス位置のみを記録すればよいので、メモリ容量を低減させることができる。
【００８８】
尚、上述の各実施形態において、操作部４が操作されて録画開始及び録画停止が指示されるものとしたが、録画日時及び録画時間が操作部４によってタイマー予約され、タイマー５によって予約された録画日時になったことが確認されると、各ブロックを動作させて自動的に録画開始及び録画停止を行うようにする場合も同様である。
【００８９】
又、上述の各実施形態で述べたダイジェスト映像ファイルの作成が、受信した放送信号から得られる映像信号を記録する際に行われるものとして説明したが、例えば、ＤＶＤやＶＴＲなどから読み取られた映像信号が外部から入力され、該映像信号を記録する際に行われるものとしても構わない。更に、上述の各実施形態において、デジタル放送の映像信号を記録・再生する映像記録再生装置としたが、アナログ放送の映像信号を記録・再生する映像記録再生装置としても構わない。
【００９０】
【発明の効果】
本発明によると、シーン無変化時間の長いブロックから順に選出されて、該選出されたブロックから抽出された所定時間の映像によってダイジェスト映像ファイルが作成されるため、シーン無変化時間の短い映像がダイジェスト映像ファイルの対象となることを防ぐことができる。よって、コマーシャル映像のような記録する映像ファイルの内容と無関係な映像を含むダイジェスト映像ファイルの作成を防ぐことができる。
【００９１】
又、ダイジェスト映像ファイルを作成するためのブロックの記録位置情報を記録した後に、この記録位置情報に基づいて読み出された映像からダイジェスト映像ファイルを作成することで、常に、ダイジェスト映像ファイルを作成するための映像の抽出動作を行う必要がなく、最終的に必要な映像のみを抽出することができる。更に、ダイジェスト映像を表示する際に、記録した記録位置情報よりダイジェスト映像ファイルを作成することで、ダイジェスト映像ファイルを格納する場合に比べてその記録容量を小さくすることができる。
【図面の簡単な説明】
【図１】本発明の第１の実施形態の映像記録再生装置の内部構成を示すブロック図。
【図２】第１の実施形態の映像記録再生装置におけるダイジェスト映像ファイルの作成方法を示すフローチャート。
【図３】ダイジェスト映像ファイルの作成方法を説明するための図。
【図４】ダイジェスト映像ファイルの一例を示す図。
【図５】本発明の第２の実施形態の映像記録再生装置の内部構成を示すブロック図。
【図６】本発明の第３の実施形態の映像記録再生装置の内部構成を示すブロック図。
【図７】従来の映像記録再生装置の内部構成を示すブロック図。
【図８】従来の映像記録再生装置の内部構成を示すブロック図。
【図９】従来の検索表示画面の作成方法を示す図。
【図１０】従来の検索表示画面の表示例。
【図１１】従来のダイジェスト映像ファイルの作成方法を示す図。
【図１２】従来のダイジェスト映像ファイルの作成方法を示す図。
【符号の説明】
１    チューナー
２    映像デコーダ
３    記録メディア
４    操作部
５    タイマー
６    変化点検出部
７    縮小処理部
８    縮小映像バッファ
９    ダイジェスト映像バッファ
１０    バッファ制御
【図１】
0004030328.tif 000002
【図２】
0004030328.tif 000003
【図３】
0004030328.tif 000004
【図４】
0004030328.tif 000005
【図５】
0004030328.tif 000006
【図６】
0004030328.tif 000007
【図７】
0004030328.tif 000008
【図８】
0004030328.tif 000009
【図９】
0004030328.tif 000010
【図１０】
0004030328.tif 000011
【図１１】
0004030328.tif 000012
【図１２】
0004030328.tif 000013